(57)【要約】【課題】マンコンベヤの設置スペースを大きくすることなく保守作業を作業性良く行うことができるようにしたマンコンベヤの照明装置を提供する。【解決手段】欄干パネル１の上端部に取り付けられたデッキ８は、欄干パネル１に固定された固定側デッキ９と、この固定側デッキ９に蝶番１１を介して回動可能に接続された非固定側デッキ１０とに分割されている。非固定側デッキ１０の下面には照明装置本体７が取り付けられており、非固定側デッキ１０を上方に回動させて照明装置本体７を欄干パネル１上端部の上方に位置させることで、保守作業を欄干パネル１や建屋の壁２０１に邪魔されることなく行うことができる。【選択図】      図１
2004359388.tif 000002
【特許請求の範囲】
【請求項１】
欄干パネル上端部の外側面に対向するように配置された照明装置本体と、前記欄干パネル上端部に取り付けられ前記照明装置本体を支持するデッキとを具備し、前記デッキは、前記欄干パネル上端部に固定された固定側デッキと、前記照明装置本体が取り付けられた非固定側デッキとに分割され、前記非固定側デッキは、前記照明装置本体が前記欄干パネル上端部の上方に位置した状態をとり得るように前記固定側デッキに回動可能に接続されたことを特徴とするマンコンベヤの照明装置。
【請求項２】
前記固定側デッキに、前記非固定側デッキを受け止め支持すると共にネジ孔が形成された接続支えが設けられ、前記非固定側デッキに、前記ネジ孔に螺合して前記非固定側デッキを前記接続支えに締結固定する締結部材の軸部を貫通させる貫通孔が形成されたことを特徴とする請求項１記載のマンコンベヤの照明装置。
【請求項３】
前記固定側デッキに、前記非固定側デッキを受け止め支持すると共にスタッドボルトが立設された接続支えが設けられ、前記非固定側デッキに、前記スタッドボルトを貫通させる貫通孔が形成されたことを特徴とする請求項１記載のマンコンベヤの照明装置。
【請求項４】
前記照明装置本体は、前記非固定側デッキの最大回動半径領域内に収まるように取り付けられたことを特徴とする請求項１〜請求項３のいずれかに記載のマンコンベヤの照明装置。
【発明の詳細な説明】
【０００１】
【発明の属する技術分野】
本発明は、エスカレータや動く歩道等のマンコンベヤの照明装置に関する。
【０００２】
【従来の技術】
図５は従来のマンコンベヤの欄干部の縦断面図である。同図において、１０１は欄干パネルで、移動する踏段列１０２（あるいは踏板列）の両側に踏段列１０２の移動方向と平行に立設されている。欄干パネル１０１の下部の外側面には外デッキ１０３が取り付けられ、内側面には内デッキ１０４が取り付けられている。この内デッキ１０４の下端には、スカート受けアングル１０５を介してスカート１０６が取り付けられている。
【０００３】
１０７は照明装置であり、欄干パネル１０１上端部の外側面に対向するように配置された照明装置本体１０８を具備している。この照明装置本体１０８は、欄干パネル１０１上端部に取り付けられたデッキ１０９の下面に支持されている。照明装置本体１０８は、デッキ１０９の下面に取り付けられたカバー１１０と、その内部に収納された光源１１１とを有している。なお、１１２は移動手摺であり、デッキ１０９の上面に取り付けられたレール１１３に摺動自在に支持されている。
【０００４】
【発明が解決しようとする課題】
従来のこの種のマンコンベヤでは、デッキ１０９の端部と、建屋の壁、掲示板、又は並列設置のマンコンベヤ等の固定物２０１との間隔は、光源１１１を交換可能なスペース、すなわち作業者の腕を挿入し得るスペースを必要としていた。この作業スペースが十分でないと、光源１１１の交換作業を行う場合、まず欄干パネル１０１を取り外し、次いで照明カバー１１０を取り外してから光源１１１を交換することになるため、多大な時間を要し、保守作業の作業性が非常に劣るという問題点が有る。
【０００５】
また、上記作業スペースを十分に確保すると、建屋におけるマンコンベヤの設置スペースが大きくなるという問題点が有る。
【０００６】
本発明は上記問題点に鑑みてなされたものであり、その目的は、マンコンベヤの設置スペースを大きくすることなく保守作業を作業性良く行うことができるようにしたマンコンベヤの照明装置を提供することにある。
【０００７】
【課題を解決するための手段】
上記目的を達成するために、本発明のマンコンベヤの照明装置は、欄干パネル上端部の外側面に対向するように配置された照明装置本体と、前記欄干パネル上端部に取り付けられ前記照明装置本体を支持するデッキとを具備し、前記デッキは、前記欄干パネル上端部に固定された固定側デッキと、前記照明装置本体が取り付けられた非固定側デッキとに分割され、前記非固定側デッキは、前記照明装置本体が前記欄干パネル上端部の上方に位置した状態をとり得るように前記固定側デッキに回動可能に接続されたことことを特徴としている。
【０００８】
【発明の実施の形態】
以下、本発明の一実施形態を図面と共に詳述する。図１は本発明の第１の実施形態であるエスカレータの要部縦断面図、図２は図１の要部拡大断面図、図３は第１の実施形態の作用の説明図である。
【０００９】
図１において、１はガラス製の欄干パネルで、移動する踏段列（図示せず）の両側に踏段列の移動方向と平行に立設されている。欄干パネル１の下部の外側面には外デッキ２が取り付けられ、内側面には内デッキ３が取り付けられている。この内デッキ３の下端には、スカート受けアングル４を介してスカート５が取り付けられている。
【００１０】
６は照明装置であり、欄干パネル１上端部の外側面に対向するように配置された照明装置本体７を具備している。この照明装置本体７は、欄干パネル１上端部に取り付けられたデッキ８の下面に支持されている。デッキ８は、欄干パネル１上端部に固定された固定側デッキ９と、照明装置本体７が取り付けられた非固定側デッキ１０とに分割されている。
【００１１】
非固定側デッキ１０は蝶番１１を介して固定側デッキ９に接続されており、前記踏段列の移動方向に延びる軸線を中心として上方に回動可能となっている。非固定側デッキ１０の下面には照明カバー支え１２が設けられ、非固定側デッキ１０の上面には移動手摺（図示せず）を摺動自在に支持するレール１３が取り付けられている。
【００１２】
図２に示すように、固定側デッキ９の下面には板状の接続支え１４の一端が固定されており、その他端は非固定側デッキ１０の下面を受け止め支持している。非固定側デッキ１０はボルト１５を介して接続支え１４に着脱可能に固定される。すなわち、レール１３の底壁、非固定側デッキ１０にはボルト１５の軸部を貫通させる貫通孔１６、１７が形成され、接続支え１４にはボルト１５の軸部が螺合するネジ孔１８が形成されている。
【００１３】
照明装置本体７は、非固定側デッキ１０に着脱可能に取り付けられ上面が開口した略筒状の照明カバー１９と、その内部に固定配置されたホルダー２０（図１参照）と、このホルダー２０に着脱可能に保持された光源２１と、この光源２１に給電する配線（図示せず）等を有している。光源２１としては、蛍光灯の他に、電球、液晶ＬＥＤ、有機ＥＬ等を適宜使用することができる。また、光源２１の光の色は特に限定されるものではないが、視認性や指向性等の点から白色が好ましい。
【００１４】
このような構成のエスカレータにおいて、照明装置６の保守作業を行う場合には、レール１３に係合している移動手摺を取り外し、ボルト１５を回転させて取り外す。次いで、図３に示すように、非固定側デッキ１０を上方に回動させて照明装置本体７を欄干パネル１の上端部の上方に位置させる。
【００１５】
なお、照明カバー１９は、非固定側デッキ１０の最大回動半径領域内、すなわち、蝶番１１の回転軸から半径方向に最も離れた端部１０ａが前記回転軸まわりに回転することにより形成される円形の軌跡よりも内側の領域内に収まるように取り付けられているため、非固定側デッキ１０の回動時に照明カバー１９が固定物２０１と干渉することはない。
【００１６】
また、欄干パネル１と固定物２０１の間のスペースの幅Ｗ（図３参照）は非固定側デッキ１０を回動させることができる大きさであればよく、従来と比べて幅Ｗが大幅に増えることもない。したがって、コンベヤ設置スペースを大きくすることなく保守作業の作業性を向上することができるものである。
【００１７】
保守作業を行う作業者は、照明カバー１９を非固定側デッキ１０から取り外して光源２１の交換等を行うが、この際、固定物２０１や欄干パネル１に邪魔されることないので、保守作業を作業性良く行うことができる。なお、保守作業を固定物２０１や欄干パネル１に邪魔されずに行うことができるのであれば、照明装置本体７全体が欄干パネル１の上端部の上方に位置していなくてもよく、照明装置本体７の一部のみが欄干パネル１の上端部の上方に位置した状態であってもよい。
【００１８】
作業が終了すると、照明カバー１９を非固定側デッキ１０に取り付け、非固定側デッキ１０を図１に示す位置まで回動させる。そして、図２に示すように、ボルト１５を用いて非固定側デッキ１０を接続支え１４に固定する。接続支え１４にはネジ孔１８が形成されているため、ボルト１５にナットを螺着する必要がなく、その作業は容易である。
【００１９】
次に、本発明の第２の実施形態を説明する。図４は本発明の第２の実施形態の要部拡大断面図である。なお、本実施形態において、第１の実施形態と同一又は類似の部分には同一の符号を用いており、重複する説明は省略してある。
【００２０】
本実施形態では、接続支え１４の他端側の上面にスタッドボルト２２が上方に突出するように固定されている。このスタッドボルト２２は、非固定側デッキ１０の貫通孔１７、レール１３の貫通孔１６を貫通して上方に突出しており、その先端部にナット２３を螺着することにより非固定側デッキ１０を接続支え１４に固定することができる。本実施形態のその他の構成は第１の実施形態と同様である。
【００２１】
本実施形態においても、ナット２３を取り外して非固定側デッキ１０を上方に回動させることで、第１の実施形態と同様に、照明装置６の保守作業を作業性良く行うことができる。また、接続支え１４にスタッドボルト２２が設けられているため、非固定側デッキ１０を固定する作業を容易に行うことができる。
【００２２】
なお、本発明はエスカレータ以外のマンコンベヤ（例えば踏板列が移動する動く歩道）に適用することもできる。
【００２３】
【発明の効果】
以上のように、本発明の照明装置は、マンコンベヤの設置スペースを大きくすることなく保守作業を作業性良く行うことができる。
【図面の簡単な説明】
【図１】本発明の第１の実施形態の要部縦断面図。
【図２】図１の要部拡大断面図。
【図３】第１の実施形態の作用の説明図。
【図４】本発明の第２の実施形態の要部拡大断面図。
【図５】従来のマンコンベヤの要部縦断面図。
【符号の説明】
１  欄干パネル
６  照明装置
７  照明装置本体
８  デッキ
９  固定側デッキ
１０  非固定側デッキ
１４  接続支え
１５  ボルト（締結部材）
１７  貫通孔
１８  ネジ孔
２２  スタッドボルト
２０１  固定物
【図１】
2004359388.tif 000003
【図２】
2004359388.tif 000004
【図３】
2004359388.tif 000005
【図４】
2004359388.tif 000006
【図５】
2004359388.tif 000007